(57)【特許請求の範囲】
【請求項１】
映像音声素材の収録、送出を行う番組バンクシステムにおいて、映像音声再生装置からの映像に、ＡＮＣインサータを使用してデジタル映像信号のアンシラリ補助パケット領域に字幕データを重畳してビデオサーバに収録し、上記ビデオサーバに収録され、再生された字幕データの重畳された映像からＡＮＣリーダによりアンシラリ補助パケット領域に重畳されている字幕データを取り出し、制御用コンピュータにより上記ＡＮＣインサータにて重畳する前の字幕データの内容と、上記ＡＮＣリーダにより取り出した字幕データの内容を比較し、重畳した字幕データの内容が正しいものであるか否かを確認し、
上記制御用コンピュータは、上記映像音声再生装置から映像が再生される再生映像のタイムコード位置を取得すると共に、上記ビデオサーバから再生された映像のタイムコードを取得し、当該取得したタイムコードの値が上記ＡＮＣインサータにおいて字幕データを重畳したときのタイムコードの位置になったとき、上記ＡＮＣリーダを制御して字幕データの内容を取り込み、上記ＡＮＣインサータを制御して重畳した字幕データの内容と上記ＡＮＣリーダを制御して取り込んだ字幕データの内容を比較することを特徴とする番組バンクシステム。
【請求項２】
請求項１記載の番組バンクシステムにおいて、上記比較した字幕データの内容が不一致の場合、字幕データの内容が不一致であることをモニタ画面上にエラー表示することを特徴とする番組バンクシステム。
【発明の詳細な説明】
【技術分野】
【０００１】
本発明は、ビデオサーバなどの映像・音声送出機器を用いた放送システムにおいて、ビデオサーバに番組素材を収録するとともに、デジタル映像信号（ＨＤ−ＳＤＩ／ＳＤ−ＳＤＩ）のアンシラリ補助パケット領域に字幕データを重畳し、また、その字幕データの内容が正しいものであるかを検出する技術に関するものである。
【背景技術】
【０００２】
従来、ビデオサーバ等の映像・音声送出機器を用いた放送システムにおいて、ビデオサーバに収録された番組素材に字幕データを重畳する場合、重畳された字幕データの内容を映像モニタに表示させて、それを目で見て内容が正しいかを確認していた。
【特許文献１】特開平１０−２７１３９２号公報
【発明の開示】
【発明が解決しようとする課題】
【０００３】
従来、重畳した字幕データの内容が正しいか否かを確認するためには、ビデオサーバに収録された番組素材の映像／音声を、最初から最後まで、全て目で見て確認する必要があったため、オペレータがずっと凝視している必要があった。そのため、多くの時間、及び労力を有した。
本発明はこれらの欠点を除去し、ビデオサーバに収録された番組素材の映像／音声を、最初から最後まで全て目で見て確認することなく、重畳された字幕データの内容が正しいか否かを自動的に確認することのできる、字幕データ自動比較機能を有する番組バンクシステムの実現を目的とする。
【課題を解決するための手段】
【０００４】
本発明は上記目的を達成するため、映像音声素材の収録、送出を行う番組バンクシステムにおいて、映像音声再生装置からの映像に、ＡＮＣインサータを使用してデジタル映像信号のアンシラリ補助パケット領域に字幕データを重畳してビデオサーバに収録し、上記ビデオサーバに収録され、再生された字幕データの重畳された映像からＡＮＣリーダによりアンシラリ補助パケット領域に重畳されている字幕データを取り出し、制御用コンピュータにより上記ＡＮＣインサータにて重畳する前の字幕データの内容と、上記ＡＮＣリーダにより取り出した字幕データの内容を比較し、重畳した字幕データの内容が正しいものであるか否かを確認するようにしたものである。
また、上記制御用コンピュータは、上記映像音声再生装置から映像が再生される再生映像のタイムコード位置を取得すると共に、上記ビデオサーバから再生された映像のタイムコードを取得し、当該取得したタイムコードの値が、上記ＡＮＣインサータにおいて字幕データを重畳したときのタイムコードの位置になったとき、上記ＡＮＣリーダを制御して字幕データの内容を取り込み、上記ＡＮＣインサータを制御して重畳した字幕データの内容と上記ＡＮＣリーダを制御して取り込んだ字幕データの内容を比較するものである。
また、上記比較した字幕データの内容が不一致の場合、字幕データの内容が不一致であることをモニタ画面上にエラー表示するものである。
【発明の効果】
【０００５】
従来、重畳した字幕データの内容が正しいか否かを確認するためには、ビデオサーバに収録された番組素材の映像／音声を最初から最後まで全て目で見て確認する必要があったため、オペレータがずっと凝視している必要があった。しかし、本発明では、自動的に字幕内容が比較されるため、オペレータの作業効率が上がり、作業時間の軽減となる。
【発明を実施するための最良の形態】
【０００６】
図１は、本発明の番組バンク等の放送システムの構成の一例を示すブロック図であり、以下、図１を用いて本発明の一実施例について詳細に説明する。
図１の番組バンクシステムにおいて、１００は登録卓、１０１は制御用コンピュータ、１０３は映像音声再生装置、１０４はＡＮＣインサータ、１０５はビデオサーバ、１０６はＡＮＣリーダ、１０７は映像モニタ、１０８，１０９はタイムコードリーダである。登録卓１００は、制御用コンピュータ１０１とＬＡＮにて接続されている。
ここで、ＡＮＣインサータとは、デジタル映像信号(ＨＤ−ＳＤＩ／ＳＤ−ＳＤＩ)のアンシラリ補助パケット領域に字幕データを重畳する装置である。  ＡＮＣリーダとは、デジタル映像信号(ＨＤ−ＳＤＩ／ＳＤ−ＳＤＩ)のアンシラリ補助パケット領域に重畳されているデータを取り出す装置である。
番組バンクシステムでは、ビデオテープ等にて搬入された番組素材である映像音声素材１０２をビデオサーバ１０５に収録する。また、収録すると同時に、ＡＮＣインサータ１０４を使用して、デジタル映像信号(ＨＤ−ＳＤＩ／ＳＤ−ＳＤＩ)のアンシラリ補助パケット領域に字幕データを重畳する。
この字幕データはＮＡＢフォーマット、及びＡＲＩＢ規格ファイル交換基準フォーマット(ＡＲＩＢ  ＳＴＤ−Ｂ３６)により規格が定まっており、字幕データテープのタイムコードと字幕内容が対応づいている。
そして、ビデオサーバ１０５に収録され、再生された字幕データの重畳された映像を、ＡＮＣリーダ１０６を通すことにより、アンシラリ補助パケット領域に重畳されている字幕データを取り出す。
そして、ＡＮＣインサータ１０４にて重畳する前の字幕データの内容と、ＡＮＣリーダ１０６により取り出した字幕データの内容を比較することにより、重畳した字幕データの内容が正しいものであるか否か自動的に確認する。
即ち、重畳した字幕データの内容が正しいか否かを確認するに際して、まず、登録卓１００において字幕データ２０を読み込み、そのデータをＬＡＮを経由して、制御用コンピュータ１０１に送る。また、同時に登録卓１００は、制御用コンピュータ１０１に登録開始指示を送信する。
【０００７】
制御用コンピュータ１０１は、該登録開始指示を受信すると、映像音声再生装置１０３を制御し、映像音声素材１０２を再生する。再生された映像信号１１は、ＡＮＣインサータ１０４に入力される。また、制御用コンピュータ１０１によって、同時にビデオサーバ１０５を制御することにより、ＡＮＣインサータ１０４を経由した映像信号１２がビデオサーバ１０５に収録される。
そして、映像音声再生装置１０３から映像が再生されると、制御用コンピュータ１０１は、タイムコードリーダ１０８を経由して再生映像のタイムコード位置を取得する。
このタイムコード位置が登録卓１００から送信された字幕データ２０のタイムコード位置になると、制御用コンピュータ１０１はＡＮＣインサータ１０４を制御して、映像信号１１に字幕データを重畳する。そして、字幕データの重畳された映像信号１２がビデオサーバ１０５に収録される。
ビデオサーバ１０５に収録された映像音声信号は、数秒遅れてビデオサーバ１０５から再生される。そして、再生された映像信号１３は、ＡＮＣリーダ１０６を経由し、経由した映像信号１４がモニタ１０７に映し出される。
ここで、制御用コンピュータ１０１は、ビデオサーバ１０５から再生された映像のタイムコードをタイムコードリーダ１０９より取得する。
そして、取得したタイムコードの値が、ＡＮＣインサータ１０４において字幕データを重畳したときのタイムコードの位置になったときに、制御用コンピュータ１０１はＡＮＣリーダ１０６を制御し、字幕データの内容を取り込む。
ここで、制御用コンピュータ１０１において、ＡＮＣインサータ１０４を制御して重畳した字幕データの内容とＡＮＣリーダ１０６を制御して取り込んだ字幕データの内容を比較する。
もし、２つの字幕データの内容が不一致の場合は、制御用コンピュータ１０１はＬＡＮを経由して、登録卓１００に字幕データの内容が不一致であることを通知し、登録卓１００のモニタ１０７の画面上にエラー表示される。
【図面の簡単な説明】
【０００８】
【図１】本発明の番組バンクシステムの構成の一実施例を示すブロック図。
【符号の説明】
【０００９】
１００：登録／プレビュー卓、１０１：制御用コンピュータ、１０２：映像音声素材、１０３：映像音声再生装置、１０４：ＡＮＣインサータ、１０５：ビデオサーバ、１０６：ＡＮＣリーダ、１０７：映像モニタ、１０８，１０９：タイムコードリーダ、２０：字幕データ。
【図１】
0005078139.tif 000002